(57)【要約】【課題】筐体を構成する部材同士の位置決めが容易となるとともに、筐体の寸法精度を向上させることのできる自動販売機の筐体構造及び筐体組み立て方法を提供する。【解決手段】背板補強リブ１２ａに、側板補強リブ１１ａに設けられた複数の平面に面接触することによって、背板１２に対して一対の側板１１を幅方向及び前後方向に位置決めする複数の平面を設け、背面部フランジ１３ａに、上部フランジ１２ｂに設けられた複数の平面に面接触することによって、背板１２に対して天板１３を前後方向及び上下方向に位置決めする複数の平面を設け、天板１３の上面及び幅方向両側面に、一対の側板１１の幅方向内側及び上部フランジ１１ｃの下面に設けられた複数の平面を面接触させることによって、天板１３に対して一対の側板１１を幅方向及び上下方向に位置決めする複数の平面を設けている。【選択図】図６
2012208742.tif 000002
【特許請求の範囲】
【請求項１】
幅方向に対面するように配置された一対の側板と、
前記一対の側板の後端側に配置された背板と、
前記一対の側板及び前記背板の上端側に配置された天板と、
前記一対の側板及び前記背板の下端側に配置された底板と、を備えた自動販売機の筐体構造において、
前記背板の幅方向両端側には、それぞれ上下方向に延びるように形成され、隣り合う面に対して異なる角度をなす複数の当接面が設けられ、
前記側板の後端側には、それぞれ上下方向に延びるように形成され、前記背板の幅方向両端側に設けられた複数の当接面にそれぞれ面接触させることによって、前記背板に対して前記側板を幅方向及び前後方向に位置決めする複数の当接面が設けられ、
前記背板の上端側には、それぞれ幅方向に延びるように形成され、隣り合う面に対して異なる角度をなす複数の当接面が設けられ、
前記天板の後端側には、それぞれ幅方向に延びるように設けられ、前記背板の上端側に設けられた複数の当接面にそれぞれ面接触させることによって、前記背板に対して前記天板を上下方向及び前後方向に位置決めする複数の当接面が設けられ、
前記側板の上端側には、それぞれ前後方向に延びるように形成され、隣り合う面に対して異なる角度をなす複数の当接面が設けられ、
前記天板の幅方向両端側には、それぞれ前後方向に延びるように設けられ、前記側板の上端側に設けられた複数の当接面にそれぞれ面接触させることによって、前記天板に対して前記側板を上下方向及び幅方向に位置決めする複数の当接面が設けられている
ことを特徴とする自動販売機の筐体構造。
【請求項２】
前記側板の後端側には、端部を屈曲することによって、上下方向に延びる溝状に形成された側板補強リブが設けられ、
前記背板の幅方向両端側には、端部を屈曲することによって、溝状に形成された前記側板補強リブに嵌合する上下方向に延びる凸状の背板補強リブが設けられている
ことを特徴とする請求項１記載の自動販売機の筐体構造。
【請求項３】
前記背板の上端側には、端部を屈曲することによって、前方に延びるとともに、先端が下方に延びる背板上部フランジが設けられ、
前記天板の後端側には、前記背板上部フランジに当接するように、端部を屈曲することによって、前方に延びるとともに、先端が下方に向けて延びる天板後部フランジが設けられている
ことを特徴とする請求項１または２記載の自動販売機の筐体構造。
【請求項４】
前記側板の上端側には、端部を屈曲することによって、幅方向内側に向かって延びる側板上部フランジが設けられ、
前記天板は、上面が前記側板上部フランジに当接するとともに、幅方向両側面が前記一対の側板の幅方向内側に当接する
ことを特徴とする請求項１乃至３のいずれか１項記載の自動販売機の筐体構造。
【請求項５】
前記側板の幅方向内側の前面側には、前記側板上部フランジと間隔をおいて上下方向に延びる開口補強部が設けられ、
前記天板は、前記側板上部フランジと開口補強部の上端との間に嵌合する
ことを特徴とする請求項４記載の自動販売機の筐体構造。
【請求項６】
幅方向に対面するように配置された一対の側板と、
前記一対の側板の後端側に配置された背板と、
前記一対の側板及び前記背板の上端側に配置された天板と、
前記一対の側板及び前記背板の下端側に配置された底板と、を備えた自動販売機の筐体構造において、
前記背板の幅方向両端側には、上下方向に延びるように形成された凸形状または凹形状の嵌合部が設けられ、
前記側板の後端側には、上下方向に延びるように形成され、前記背板の幅方向両端側に設けられた嵌合部を嵌合させることによって、前記背板に対して前記側板を幅方向及び前後方向に位置決めする凹形状または凸形状の被嵌合部が設けられ、
前記背板の上端側には、幅方向に延びるように形成された凸形状または凹形状の嵌合部が設けられ、
前記天板の後端側には、幅方向に延びるように設けられ、前記背板の上端側に設けられた嵌合部を嵌合させることによって、前記背板に対して前記天板を上下方向及び前後方向に位置決めする凹形状または凸形状の被嵌合部が設けられ、
前記側板の上端側には、それぞれ前後方向に延びるように形成された凸形状または凹形状の嵌合部が設けられ、
前記天板の幅方向両端側には、前後方向に延びるように設けられ、前記側板の上端側に設けられた嵌合部を嵌合させることによって、前記側板に対して前記天板を上下方向及び幅方向に位置決めする凹形状または凸形状の被嵌合部が設けられている
ことを特徴とする自動販売機の筐体構造。
【請求項７】
幅方向に対面するように配置された一対の側板と、
前記一対の側板の後端側に配置された背板と、
前記一対の側板及び前記背板の上端側に配置された天板と、
前記一対の側板及び前記背板の下端側に配置された底板と、を備えた自動販売機の筐体組み立て方法において、
前記背板の幅方向両端側にそれぞれ上下方向に延びるように設けられ、隣り合う面に対して異なる角度をなす複数の当接面に、前記側板の後端側にそれぞれ上下方向に延びるように設けられた複数の当接面をそれぞれ面接触させることによって、背板に対して側板を幅方向及び前後方向に位置決めし、
前記背板の上端側にそれぞれ幅方向に延びるように設けられ、隣り合う面に対して異なる角度をなす複数の当接面に、前記天板の後端側にそれぞれ幅方向に延びるように設けられた複数の当接面をそれぞれ面接触させることによって、背板に対して天板を上下方向及び前後方向に位置決めし、
前記側板の上端側にそれぞれ前後方向に延びるように設けられ、隣り合う面に対して異なる角度をなす複数の当接面に、前記天板の幅方向両端側にそれぞれ前後方向に延びるように設けられた複数の当接面をそれぞれ面接触させることによって、天板に対して側板を上下方向及び幅方向に位置決めする
ことを特徴とする自動販売機の筐体組み立て方法。
【請求項８】
幅方向に対面するように配置された一対の側板と、
前記一対の側板の後端側に配置された背板と、
前記一対の側板及び前記背板の上端側に配置された天板と、
前記一対の側板及び前記背板の下端側に配置された底板と、を備えた自動販売機の筐体構造において、
前記背板の幅方向両端側を上下方向に延びるように形成された凸形状または凹形状の嵌合部と、前記側板の後端側を上下方向に延びるように形成された凹形状または凸形状の被嵌合部とを嵌合させることによって、前記背板に対して前記側板を幅方向及び前後方向に位置決めし、
前記背板の上端側を幅方向に延びるように形成された凸形状または凹形状の嵌合部と、前記天板の後端側を幅方向に延びるように設けられた凹形状または凸形状の被嵌合部とを嵌合させることによって、前記背板に対して前記天板を上下方向及び前後方向に位置決めし、
前記側板の上端側をそれぞれ前後方向に延びるように形成された凸形状または凹形状の嵌合部と、前記天板の幅方向両端側を前後方向に延びるように設けられた凹形状または凸形状の被嵌合部とを嵌合させることによって、前記側板に対して前記天板を上下方向及び幅方向に位置決めする
ことを特徴とする自動販売機の筐体組み立て方法。
【発明の詳細な説明】
【技術分野】
【０００１】
本発明は、例えば、ビン、缶、ペットボトル入り飲料を販売する自動販売機の筐体構造及び筐体組み立て方法に関するものである。
【背景技術】
【０００２】
従来、この種の自動販売機の筐体は、幅方向に対面するように配置された一対の側板と、一対の側板の背面側に配置された背板と、一対の側板及び背板の上端側に配置された天板と、一対の側板及び背板の下端側に配置された底板と、を備えている。
この筐体の製造において、例えば、背板と一対の側板を組み立てる場合には、背板の幅方向両側に設けられたフランジを一対の側板の背面側に設けられた溝に挿入することによって、背板と一対の側板とを前後方向及び幅方向に位置決めし、その後溶接や、硬質ポリウレタンフォームを充填し固着する等によってそれぞれの部材を互いに固定するようにしたものが知られている（例えば、特許文献１参照）。
【先行技術文献】
【特許文献】
【０００３】
【特許文献１】実開昭５８−１１１８９１号公報
【発明の概要】
【発明が解決しようとする課題】
【０００４】
前記筐体は、フランジと溝との関係で背板に対して一対の側板が前後方向及び幅方向に位置決めすることができるが、上下方向については位置決めすることができない。このため、背板に対する一対の側板の上下方向の位置関係については、目視によって位置決めし、その一対の側板及び背板に対して天板や底板が組み立てられるため、組み立て作業が容易でなく、また、組み立てられた筐体の寸法精度が低く品質の向上を図ることができない。
【０００５】
本発明の目的とするところは、筐体を構成する部材同士の位置決めが容易となるとともに、筐体の寸法精度を向上させることのできる自動販売機の筐体構造及び筐体組み立て方法を提供することにある。
【課題を解決するための手段】
【０００６】
本発明は、前記目的を達成するために、幅方向に対面するように配置された一対の側板と、前記一対の側板の後端側に配置された背板と、前記一対の側板及び前記背板の上端側に配置された天板と、前記一対の側板及び前記背板の下端側に配置された底板と、を備えた自動販売機の筐体構造において、前記背板の幅方向両端側には、それぞれ上下方向に延びるように形成され、隣り合う面に対して異なる角度をなす複数の当接面が設けられ、前記側板の後端側には、それぞれ上下方向に延びるように形成され、前記背板の幅方向両端側に設けられた複数の当接面にそれぞれ面接触させることによって、前記背板に対して前記側板を幅方向及び前後方向に位置決めする複数の当接面が設けられ、前記背板の上端側には、それぞれ幅方向に延びるように形成され、隣り合う面に対して異なる角度をなす複数の当接面が設けられ、前記天板の後端側には、それぞれ幅方向に延びるように設けられ、前記背板の上端側に設けられた複数の当接面にそれぞれ面接触させることによって、前記背板に対して前記天板を上下方向及び前後方向に位置決めする複数の当接面が設けられ、前記側板の上端側には、それぞれ前後方向に延びるように形成され、隣り合う面に対して異なる角度をなす複数の当接面が設けられ、前記天板の幅方向両端側には、それぞれ前後方向に延びるように設けられ、前記側板の上端側に設けられた複数の当接面にそれぞれ面接触させることによって、前記天板に対して前記側板を上下方向及び幅方向に位置決めする複数の当接面が設けられている。
【０００７】
また、本発明は、前記目的を達成するために、幅方向に対面するように配置された一対の側板と、前記一対の側板の後端側に配置された背板と、前記一対の側板及び前記背板の上端側に配置された天板と、前記一対の側板及び前記背板の下端側に配置された底板と、を備えた自動販売機の筐体構造において、前記背板の幅方向両端側には、上下方向に延びるように形成された凸形状または凹形状の嵌合部が設けられ、前記側板の後端側には、上下方向に延びるように形成され、前記背板の幅方向両端側に設けられた嵌合部を嵌合させることによって、前記背板に対して前記側板を幅方向及び前後方向に位置決めする凹形状または凸形状の被嵌合部が設けられ、前記背板の上端側には、幅方向に延びるように形成された凸形状または凹形状の嵌合部が設けられ、前記天板の後端側には、幅方向に延びるように設けられ、前記背板の上端側に設けられた嵌合部を嵌合させることによって、前記背板に対して前記天板を上下方向及び前後方向に位置決めする凹形状または凸形状の被嵌合部が設けられ、前記側板の上端側には、それぞれ前後方向に延びるように形成された凸形状または凹形状の嵌合部が設けられ、前記天板の幅方向両端側には、前後方向に延びるように設けられ、前記側板の上端側に設けられた嵌合部を嵌合させることによって、前記側板に対して前記天板を上下方向及び幅方向に位置決めする凹形状または凸形状の被嵌合部が設けられている。
【０００８】
また、本発明は、前記目的を達成するために、幅方向に対面するように配置された一対の側板と、前記一対の側板の後端側に配置された背板と、前記一対の側板及び前記背板の上端側に配置された天板と、前記一対の側板及び前記背板の下端側に配置された底板と、を備えた自動販売機の筐体組み立て方法において、前記背板の幅方向両端側にそれぞれ上下方向に延びるように設けられ、隣り合う面に対して異なる角度をなす複数の当接面に、前記側板の後端側にそれぞれ上下方向に延びるように設けられた複数の当接面をそれぞれ面接触させることによって、背板に対して側板を幅方向及び前後方向に位置決めし、前記背板の上端側にそれぞれ幅方向に延びるように設けられ、隣り合う面に対して異なる角度をなす複数の当接面に、前記天板の後端側にそれぞれ幅方向に延びるように設けられた複数の当接面をそれぞれ面接触させることによって、背板に対して天板を上下方向及び前後方向に位置決めし、前記側板の上端側にそれぞれ前後方向に延びるように設けられ、隣り合う面に対して異なる角度をなす複数の当接面に、前記天板の幅方向両端側にそれぞれ前後方向に延びるように設けられた複数の当接面をそれぞれ面接触させることによって、天板に対して側板を上下方向及び幅方向に位置決めしている。
【０００９】
また、本発明は、前記目的を達成するために、幅方向に対面するように配置された一対の側板と、前記一対の側板の後端側に配置された背板と、前記一対の側板及び前記背板の上端側に配置された天板と、前記一対の側板及び前記背板の下端側に配置された底板と、を備えた自動販売機の筐体構造において、前記背板の幅方向両端側を上下方向に延びるように形成された凸形状または凹形状の嵌合部と、前記側板の後端側を上下方向に延びるように形成された凹形状または凸形状の被嵌合部とを嵌合させることによって、前記背板に対して前記側板を幅方向及び前後方向に位置決めし、前記背板の上端側を幅方向に延びるように形成された凸形状または凹形状の嵌合部と、前記天板の後端側を幅方向に延びるように設けられた凹形状または凸形状の被嵌合部とを嵌合させることによって、前記背板に対して前記天板を上下方向及び前後方向に位置決めし、前記側板の上端側をそれぞれ前後方向に延びるように形成された凸形状または凹形状の嵌合部と、前記天板の幅方向両端側を前後方向に延びるように設けられた凹形状または凸形状の被嵌合部とを嵌合させることによって、前記側板に対して前記天板を上下方向及び幅方向に位置決めしている。
【００１０】
これにより、背板と一対の側板とを組み立てることによって、背板に対して一対の側板が幅方向及び前後方向に位置決めされ、背板と天板とを組み立てることによって、背板に対して天板が上下方向及び前後方向に位置決めされ、背板に組み立てられた状態の天板と一対の側板を組み立てることによって、天板に対して一対の側板が上下方向及び幅方向に位置決めされることから、背板、一対の側板及び天板を組み立てることによって、それぞれの部材が互いに３方向に位置決めされる。
【発明の効果】
【００１１】
本発明によれば、背板、一対の側板及び天板を組み立てることによってそれぞれの部材が互いに３方向に位置決めされるので、筐体を構成する部材同士の位置決めが容易となり、製造コストの低減を図ることが可能となる。また、背板、一対の側板及び天板を組み立てることによって確実に位置決めされるので、寸法精度が向上し、品質の向上を図ることが可能となる。
【図面の簡単な説明】
【００１２】
【図１】本発明の一実施形態を示す自動販売機の全体斜視図である。
【図２】筐体の斜視図である。
【図３】筐体の正面断面図である。
【図４】筐体の側面断面図である。
【図５】筐体の平面断面図である。
【図６】筐体の概略分解斜視図である。
【図７】底板の組付け方法を示す筐体の要部側面断面図である。
【図８】側板補強部材及び底板の要部斜視図である。
【図９】仕切板の組付け方法を示す筐体の要部側面断面図である。
【図１０】補強板の組付け方法を示す筐体の平面断面図である。
【図１１】その他の例を示す筐体の平面断面図である。
【発明を実施するための形態】
【００１３】
図１乃至図１０は、本発明の一実施形態を示すものである。
【００１４】
本発明の筐体構造を備えた自動販売機は、図１に示すように、前面を開口した筐体１０と、筐体１０の前面開口を開閉する外扉２０とを備えている。
【００１５】
筐体１０内には、上部側に商品収納室１０ａが設けられ、下部側に機械室１０ｂが設けられている。商品収納室１０ａ内には、図示しない周知のサーペンタイン式の商品収納コラムが収納され、商品収納コラムから落下搬出された商品が外扉２０側に搬出されるようになっている。また、機械室１０ｂ内には、商品収納室１０ａ内を冷却または加熱するための機器が収納されるようになっている。
【００１６】
外扉２０には、商品サンプル展示室２１、商品選択スイッチ２２、硬貨投入口２３、紙幣投入口２４、表示パネル２５、返却レバー２６、外扉開閉用のハンドル２７、硬貨返却口２８及び商品取出口２９が設けられている。
【００１７】
筐体１０は、幅方向に対面するように配置された一対の側板１１と、一対の側板１１間の後端側に配置された背板１２と、一対の側板１１及び背板１２の上端側に配置された天板１３と、一対の側板１１及び背板１２の下端側に配置された底板１４と、一対の側板１１間を商品収納室１０ａ側と機械室１０ｂ側とに仕切る仕切板１５と、底板１４と仕切板１５との間の幅方向両側に設けられた一対の補強板１６とを有している。一対の側板１１、背板１２、天板１３、底板１４、仕切板１５及び一対の補強板１６は、それぞれ薄鋼板を板金加工することにより形成される。
【００１８】
一対の側板１１の背面側には、端部を屈曲形成することによって、溝底を背面側に向けて上下方向に延びる溝形状に設けられ、背板１２の幅方向端部側と係合する側板補強リブ１１ａが設けられている。側板補強リブ１１ａは、互いに異なる角度をなすと共にそれぞれ上下方向に延びるように設けられ、背板１２の幅方向端部側に設けられた複数の平面と面接触する複数の平面を有している。また、一対の側板１１の前面側には、幅方向内側を上下方向に延びるように設けられ、筐体１０の前面開口を補強するための開口補強部としての側板補強部材１１ｂが取り付けられている。また、一対の側板１１の上端には、端部を屈曲することによって前後方向に亘って幅方向内側に延びる側板上部フランジとしての上部フランジ１１ｃが設けられている。一対の側板１１の上端側は、上部フランジ１１ｃの下面に天板１３の上面が面接触する当接面が設けられ、幅方向内側面に天板１３の幅方向側面が面接触する当接面が設けられている。更に、一対の側板１１の下端には、端部を屈曲することによって前後方向に亘って幅方向内側に延びる下部フランジ１１ｄが設けられている。また、一対の側板１１の下端の前側には、一対の側板１１及び背板１２に対して底板１４を組付け可能とするために、下部フランジ１１ｄに切り欠き部１１ｅが形成されている。
【００１９】
また、側板補強部材１１ｂの下端には、底板１４に設けられた後述する第１係合孔及び第２係合孔に係合する第１突起部１１ｆ及び第２突起部１１ｇが前後方向に配置されている。第１突起部１１ｆは、下方に延びるように形成され、所定の幅方向寸法に形成されている。第２突起部１１ｇは、第１突起部１１ｆの前方に設けられ、下方に延びるとともに、先端が前方に延びる鉤状に形成されている。また、側板補強部材１１ｂの背面には、仕切板１５の前端が係合可能な幅方向に延びるスリット状の長孔１１ｈが形成されている。
【００２０】
背板１２の幅方向両側には、端部を屈曲形成することによって、側板１１の側板補強リブ１１ａと嵌合可能な前面に向かって凸形状の背板補強リブ１２ａが上下方向に延びるように設けられている。背板補強リブ１２ａは、互いに異なる角度をなすと共にそれぞれ上下方向に延びるように設けられ、両側板補強リブ１１ａに設けられた複数の当接面と面接触する複数の当接面を有している。背板補強リブ１２ａと側板補強リブ１１ａとを嵌合させることによって、側板１１は背板１２に対して前後方向及び幅方向に位置決めされる。また、背板１２の上端には、前方に延びるとともに端部が下方に屈曲形成された断面Ｌ字状の背板上部フランジとしての上部フランジ１２ｂが設けられている。上部フランジ１２ｂは、天板１３の後述する背面部フランジに設けられた平面と面接触する当接面を上面及び前面に有している。更に、背板１２の下端には、端部を前方に屈曲形成することによって幅方向に亘って前方に延びる下部フランジ１２ｃが設けられている。
【００２１】
一対の側板１１と背板１２との間には、側板１１の側板補強リブ１１ａに背板１２の背板補強リブ１２ａを嵌合させることにより補強部１７が構成される。補強部１７は、下端が側板１１の下部フランジ１１ｄ及び背板１２の下部フランジ１２ｃから所定の間隔をおいて上方に位置している。また、補強部１７は、上端が背板１２の上部フランジ１２ｂの下面に位置している。更に、補強部１７には、仕切板１５を支持するための切り欠き部１７ａが設けられている。
【００２２】
天板１３は、上面に側板１１の上部フランジ１１ｃの下面と面接触する当接面を有し、幅方向両側面に側板１１の幅方向内側面と面接触する当接面を有している。天板１３の背面側端部は、他の端部よりも下方に延びるように形成され、背板１２の上部フランジ１２ｂに面接触可能なように、幅方向に亘って前方に延びるとともに、端部が下方に屈曲形成された断面Ｌ字状の天板後部フランジとしての背面部フランジ１３ａが設けられている。背面部フランジ１３ａは、背板１２の上部フランジ１２ｂの上面及び前面と面接触する当接面を下面及び背面に有している。天板１３は、背面部フランジ１３ａが背板１２の上部フランジ１２ｂに面接触することによって、背板１２に対して上下方向及び前後方向に位置決めされる。また、天板１３は、上面に側板１１の上部フランジ１１ｃが面接触するとともに、側面に側板１１の幅方向内側面が面接触することによって、天板１３に対して側板１１を上下方向及び幅方向に位置決めする。また、天板１３の前側には、下面側を幅方向に延びるように設けられ、筐体１０の前面開口を補強するための天板補強部材１３ｂが取り付けられている。
天板１３の背面側は、背面部フランジ１３ａが背板１２の上部フランジ１２ｂに当接することによって背板１２に支持される。また、天板１３の前面側の幅方向両側は、各側板１１の側板補強部材１１ｂの上端と上部フランジ１１ｃとの間に支持される。
【００２３】
底板１４の下面の四隅には、それぞれ脚部１４ａが設けられている。底板１４の上面の前側には、第１突起部１１ｆが挿入可能に設けられ、挿入された第１突起部１１ｆが所定の範囲内で前後方向に移動自在に設けられ、挿入された第１突起部１１ｆの幅方向の移動を規制する被係止部としての第１係合孔１４ｂが設けられている。また、底板１４の上面の第１係合孔１４ｂの前方には、第２突起部１１ｇが挿入可能に設けられ、第２突起部１１ｇを挿入した状態で底板１４を後方に移動させることにより、側板補強部材１１ｂに底板１４を係止可能な第２係合孔１４ｃが設けられている。
底板１４は、背面側が補強部１７の下端と側板１１の下部フランジ１１ｄ及び背板１２の下部フランジ１２ｃとの間に支持され、前面側が側板補強部材１１ｂに係止される。側板１１の下端側の前側は、底板１４の第１係合孔１４ｂと側板補強部材の第１突起部１１ｆとの係合によって、底板１４に対して幅方向に位置決めされる。
【００２４】
仕切板１５は、背面側の左右両端部が補強部１７の切り欠き部１７ａに係合することにより支持され、前面側の左右両端部が側板補強部材１１ｂの長孔１１ｈに係合することにより支持される。
【００２５】
一対の補強板１６は、前後方向の寸法が側板１１の側板補強リブ１１ａと側板補強部材１１ｂの後面との間の寸法と略同一に形成され、上下方向の寸法が底板１４の上面と仕切板１５の下面との間の寸法と略同一に形成されている。補強板１６の背面側の端部には、側板１１の側板補強リブ１１ａの幅方向外側に位置する溝１１ｉに嵌合する嵌合部１６ａが設けられている。補強板１６の前面側の端部は、側板補強部材１１ｂの後面側に取り付けられる。補強板１６の上端には、仕切板１５の下面にネジ止めするための幅方向内側に延びる上部フランジ１６ｂが設けられている。また、補強板１６の下端には、底板１４の上面にネジ止めするための幅方向内側に延びる下部フランジ１６ｃが設けられている。
【００２６】
以上のように構成された自動販売機の筐体構造において、筐体１０の組み立て方法を説明する。ここで、筐体１０は、背面側を下方に向け、正面側を上方に向けた横倒しの状態で各部材が組み立てられる。
【００２７】
まず、作業床面上に背板１２を、背面側を下方に向けて置き、背板１２の各背板補強リブ１２ａと、側板１１の側板補強リブ１１ａとを嵌合させる。この状態では、背板補強リブ１２ａの隣り合う面に対して異なる角度をなす複数の当接面と側板補強リブ１１ａの互いに異なる角度をなす複数の当接面とが面接触することから、背板１２に対して両側板１１の幅方向及び前後方向の２方向が位置決めされる。
【００２８】
次に、各背板補強リブ１２ａと側板補強リブ１１ａとが嵌合した状態の背板１２及び側板１１に、天板１３を取り付ける。詳しくは、天板１３の背面部フランジ１３ａと、一対の側板１１の前面側を幅方向外側に開きながら背板１２の上部フランジ１２ｂとを面接触させた後、天板１３の幅方向両側を、各側板１１の側板補強部材１１ｂと上部フランジ１１ｃとの間に挿入する。この状態では、上部フランジ１２ｂの上面及び前面の当接面に背面部フランジ１３ａの当接面が面接触し、天板１３の上面の当接面に側板１１の上部フランジ１１ｃの下面の当接面が面接触し、天板１３の幅方向両側面に側板１１の幅方向内側面の当接面が面接触する。これにより、背板１２に対して天板１３の上下方向及び前後方向が位置決めされ、天板１３に対して側板１１の上下方向及び幅方向が位置決めされる。つまり、天板１３は、一対の側板１１を介して背板１２に対して幅方向に位置決めされることから、側板１１、背板１２及び天板１３は、それぞれの部材を組み立てることによって互いに３方向に位置決めされる。
【００２９】
一対の側板１１、背板１２及び天板１３が仮組みされた後、底板１４を取り付ける。詳しく説明すると、図７に示すように、まず、底板１４を、側板１１の下部フランジ１１ｄの前側に設けられた切り欠き部１１ｅから第１突起部１１ｆ及び第２突起部１１ｇと接触しないように斜め上方から挿入する。その後、図８に示すように、底板１４の第１係合孔１４ｂに第１突起部１１ｆを挿入可能な位置で、底板１４を上面が上下方向に向くように回転させて第１係合孔１４ｂに第１突起部１１ｆを挿入させるとともに、第２係合孔１４ｃに第２突起部１１ｇを挿入させ、底板１４を下方に移動させる。これにより、底板１４は、背面側が補強部１７の下端と側板１１の下部フランジ１１ｄ及び背板１２の下部フランジ１２ｃとの間に挿入されるとともに、前面側が側板補強部材１１ｂの第２突起部１１ｇに係止される。これにより、底板１４は、一対の側板１１、背板１２及び天板１３に対して上下方向、幅方向及び前後方向に位置決めされる。このとき、一対の側板１１の下端側の前面側は、側板補強部材１１ｂの第１突起部１１ｆが底板１４の第１係合孔１４ｂに挿入されることによって幅方向の位置ずれが規制される。
【００３０】
一対の側板１１、背板１２、天板１３及び底板１４が仮組みされた後、仕切板１５を取り付ける。詳しくは、図９に示すように、まず、仕切板１５を一対の側板１１間の補強部１７と側板補強部材１１ｂとの間に配置する。次に、仕切板１５の背面側の幅方向両端部を補強部１７の切り欠き部１７ａに挿入させる。その後、仕切板１５の前面側の幅方向両端部を下方に向けて移動させて側板補強部材１１ｂの長孔１１ｈに係合させる。このとき、仕切板１５は、一対の側板１１間の補強部１７と側板補強部材１１ｂとの間で撓みながら移動可能である。
【００３１】
一対の側板１１、背板１２、天板１３、底板１４及び仕切板１５が仮組みされた後、一対の補強板１６を取り付ける。詳しくは、図１０に示すように、補強板１６の嵌合部１６ａを側板１１の溝１１ｉに嵌合させた後、補強板１６の前面側の端部を側板１１の側板補強部材１１ｂの背面側に取り付ける。
【００３２】
最後に、仮組みされた筐体１０をスポット溶接、接着剤やネジ止め等によって固定することによって、筐体１０の組み立て作業が終了する。
【００３３】
このように、本実施形態の自動販売機の筐体構造によれば、背板補強リブ１２ａに、側板補強リブ１１ａに設けられた複数の当接面に面接触することによって、背板１２に対して一対の側板１１を幅方向及び前後方向に位置決めする複数の当接面を設け、背面部フランジ１３ａに、上部フランジ１２ｂに設けられた複数の当接面に面接触することによって、背板１２に対して天板１３を前後方向及び上下方向に位置決めする複数の当接面を設け、天板１３の上面及び幅方向両側面に、一対の側板１１の幅方向内側及び上部フランジ１１ｃの下面に設けられた複数の当接面を面接触させることによって、天板１３に対して一対の側板１１を幅方向及び上下方向に位置決めする複数の当接面を設けている。これにより、背板１２、一対の側板１１及び天板１３を組み立てることによってそれぞれの部材が互いに３方向に位置決めされるので、筐体１０を構成する部材同士の位置決めが容易となり、製造コストの低減を図ることが可能となる。また、背板１２、一対の側板１１及び天板１３を組み立てることによって確実に位置決めされるので、寸法精度が向上し、品質の向上を図ることが可能となる。
【００３４】
また、一対の側板１１の後端側には、上下方向に延びる溝状に形成された側板補強リブ１１ａが設けられ、背板１２の幅方向両端側には、溝状に形成された側板補強リブ１１ａに嵌合する上下方向に延びる前面に向かって凸状の背板補強リブ１２ａが設けられている。これにより、側板補強リブ１１ａと背板補強リブ１２ａとを嵌合させることによって、背板１２に対して一対の側板１１を幅方向及び前後方向に確実に位置決めすることができるので、組み立て作業を容易に行うことができるとともに、組み立て後の筐体１０の寸法精度を向上させることが可能となる。
【００３５】
また、天板１３の後端側には、背板１２の断面Ｌ字状の上部フランジ１２ｂに当接するように、端部を屈曲することによって前方に延びるとともに、先端が下方に向けて延びる断面Ｌ字状の背面部フランジ１３ａが設けられている。これにより、断面Ｌ字状の上部フランジ１２ｂと背面部フランジ１３ａとを当接させることによって背板１２に対して天板１３を上下方向及び前後方向に位置決めすることができるので、組み立て作業を容易に行うことができるとともに、組み立て後の筐体１０の寸法精度を向上させることが可能となる。
【００３６】
また、天板１３は、上面が一対の側板１１の上部フランジ１１ｃに当接するとともに、幅方向側面が一対の側板１１の幅方向内側面に当接している。これにより、天板１３に対して一対の側板１１を幅方向及び上下方向に位置決めすることができるので、組み立て作業を容易に行うことができるとともに、組み立て後の筐体１０の寸法精度を向上させることが可能となる。
【００３７】
また、前記一対の側板１１の幅方向内側の前面側には、上部フランジ１１ｃと間隔をおいて上下方向に延びる側板補強部材１１ｂが設けられ、天板１３は、上部フランジ１１ｃと側板補強部材１１ｂの上端との間に嵌合している。これにより、天板１３に対して一対の側板１１を上下方向に確実に位置決めすることができ、溶接によって固定することなく、天板１３と一対の側板１１を組み立てた状態を保持することが可能となる。
【００３８】
尚、前記実施形態では、補強部１７を、一対の側板１１の背面側に設けられた溝底が背面側に向けられた溝形状の側板補強リブ１１ａと、背板１２の幅方向両側に設けられ、側板補強リブ１１ａに嵌合可能な前面に向かって凸形状の背板補強リブ１２ａと、から構成したものを示したが、これに限られるものではない。背板１２に対して一対の側板１１がそれぞれ幅方向及び前後方向に位置決めすることが可能であれば、背板補強リブ１２ａ側を溝状に形成し、背板補強リブ１２ａと側板補強リブ１１ａとを嵌合させるようにしてもよい。また、側板補強リブ１１ａの前側に背板補強リブ１２ａが位置することによって互いに嵌合するようにしたものでもよい。また、側板１１及び背板１２に、隣り合う面に対して異なる角度をなす少なくとも二つの当接面を設け、側板１１の各当接面を背板１２の各当接面に面接触させれば、背板１２に対して一対の側板１１を幅方向及び前後方向の２方向の位置決めが可能となる。
【００３９】
また、前記実施形態では、背板補強リブ１２ａに設けられた複数の当接面と、側板補強リブ１１ａに設けられた複数の当接面とを面接触させることによって、背板１２に対して一対の側板１１を幅方向及び前後方向に位置決めし、背面部フランジ１３ａに設けられた複数の当接面と、上部フランジ１２ｂに設けられた複数の当接面とを面接触することによって、背板１２に対して天板１３を前後方向及び上下方向に位置決めし、天板１３の上面及び幅方向両側面に設けられた当接面と、一対の側板１１の幅方向内側及び上部フランジ１１ｃの下面に設けられた複数の当接面とを面接触させることによって、天板１３に対して一対の側板１１を幅方向及び上下方向に位置決めするようにしたものを示している。しかし、背板１２に対して一対の側板１１を幅方向及び前後方向に位置決めし、背板１２に対して天板１３を前後方向及び上下方向に位置決めし、天板１３に対して一対の側板１１を幅方向及び上下方向に位置決めすることができるものであればこれに限られるものではない。例えば、図１１に示すように、側板１１、背板１２及び天板１３のそれぞれの接合部の一方に断面半円形の突条からなる嵌合部１８ａを形成するとともに、接合部の他方に断面半円形の溝からなる被嵌合部１８ｂを形成し、嵌合部１８ａと被嵌合部１８ｂとを嵌合させることによっても、前記実施形態と同様に、背板１２に対して一対の側板１１を幅方向及び前後方向に位置決めし、背板１２に対して天板１３を前後方向及び上下方向に位置決めし、天板１３に対して一対の側板１１を幅方向及び上下方向に位置決めすることができる。この場合、嵌合部１８ａ及び被嵌合部１８ｂは、曲面形状であれば、断面半円形に限られるものではない。
【００４０】
また、前記実施形態では、断面Ｌ字状の上部フランジ１２ｂと断面Ｌ字状の背面部フランジ１３ａとを面接触させることによって背板１２に対して天板１３を位置決めするようにしたものを示したが、これに限られるものではない。例えば、前記補強部１７と同様の構成によって背板１２に対して天板１３を上下方向及び前後方向に位置決めするようにしてもよい。また、一対の側板１１と天板１３との関係においても同様に、天板１３に対して一対の側板１１を幅方向及び上下方向に位置決めが可能であれば、前記補強部１７と同様の構成によって天板１３に対して一対の側板１１を幅方向及び上下方向に位置決めするようにしてもよい。
【００４１】
また、前記実施形態では、側板１１の側板補強リブ１１ａに背板１２の背板補強リブ１２ａを嵌合させることにより筐体１０の上下方向に亘って補強部１７が構成されているが、これに限られるものではない。例えば、複数の側板補強リブを互いに上下方向に間隔をおいて側板１１に設けるとともに、複数の背板補強リブを互いに上下方向に間隔をおいて背板１２に設け、各側板補強リブに各背板補強リブを嵌合させることにより、上下方向に延びる補強部を互いに上下方向に間隔をおいて複数構成するようにしてもよい。
【符号の説明】
【００４２】
１０…筐体、１１…側板、１１ａ…側板補強リブ、１１ｂ…側板補強部材、１１ｃ…上部フランジ、１２…背板、１２ａ…背板補強リブ、１２ｂ…上部フランジ、１３…天板、１３ａ…背面部フランジ、１４…底板、１７…補強部。
【図１】
2012208742.tif 000003
【図２】
2012208742.tif 000004
【図３】
2012208742.tif 000005
【図４】
2012208742.tif 000006
【図５】
2012208742.tif 000007
【図６】
2012208742.tif 000008
【図７】
2012208742.tif 000009
【図８】
2012208742.tif 000010
【図９】
2012208742.tif 000011
【図１０】
2012208742.tif 000012
【図１１】
2012208742.tif 000013